(57)【要約】【課題】  レンズの光学特性を安定して精度良く得るレンズメータを提供する。【解決手段】  測定光軸を中心に多数の測定指標を持ち、該指標及び被検レンズの通過光束を受光素子で受光する測定光学系を備え、前記素子で検出された指標に基づきレンズの光学特性を演算するレンズメータにおいて、前記素子で検出された指標の内で測定光軸付近の測定領域に位置する少なくとも３つの測定指標に基づき光学特性を演算する第１演算手段と、前記第１演算手段の演算に使用した測定指標に対して測定領域及び指標の数の少なくとも一方を拡大した測定指標に基づいて光学特性を演算する第２演算手段と、前記第１演算手段により演算された柱面度数が所定度数以下のときは前記第２演算手段で演算された光学特性を測定結果とし、柱面度数が所定度数以上のときは前記第１演算手段で演算された光学特性を測定結果とする制御手段を備える。【選択図】      図４
2008241694.tif 000002
【特許請求の範囲】
【請求項１】
測定光軸を中心に所定のパターンで配置された多数の測定指標を持ち、該測定指標及び被検レンズを通過した光束を受光素子で受光する測定光学系を備え、前記受光素子で検出された測定指標に基づいて被検レンズの光学特性を演算し、演算された光学特性を表示手段に表示するレンズメータにおいて、
前記受光素子により検出された測定指標の内で測定光軸付近の測定領域に位置する少なくとも３つの測定指標に基づいて光学特性を演算する第１演算手段と、
前記第１演算手段の演算に使用した測定指標に対して測定領域及び測定指標の数の少なくとも一方を拡大した測定指標に基づいてレンズの光学特性を演算する第２演算手段と、
前記第１演算手段により演算された柱面度数が所定の弱度数以下のときは前記第２演算手段により演算された光学特性を測定結果として前記表示手段に表示し、柱面度数が所定の弱度数を上回るときは前記第１演算手段により演算された光学特性を前記表示手段に表示する測定制御手段と、を備えることを特徴とするレンズメータ。
【請求項２】
請求項１のレンズメータにおいて、前記測定制御手段は、さらに前記第１演算手段により演算された光学特性と第２演算手段により演算された光学特性を比較し、該比較結果が所定の許容誤差内であるときに、前記第２演算手段による演算結果を測定結果として前記表示手段に表示させることを特徴とするレンズメータ。
【請求項３】
測定光軸を中心に所定のパターンで配置された多数の測定指標を持ち、該測定指標及び被検レンズを通過した光束を受光素子で受光する測定光学系を備え、前記受光素子で検出された測定指標に基づいて被検レンズの光学特性を演算し、演算された光学特性を表示手段に表示するレンズメータにおいて、
前記受光素子により検出された測定指標の内で測定光軸付近の測定領域に位置する少なくとも３つの測定指標に基づいて光学特性を演算する第１演算手段と、
前記第１演算手段の演算に使用した測定指標に対して測定領域及び測定指標の数の少なくとも一方を拡大した測定指標に基づいてレンズの光学特性を演算する第２演算手段と、
前記受光素子により正常に検出された測定指標の数が一定割合又は所定数を満たすか否かを判定し、測定指標の数が一定割合又は所定数を満たさないときは前記第２演算手段により演算された光学特性を測定結果として前記表示手段に表示し、測定指標の数が一定割合又は所定数を満たすときは前記第１演算手段により演算された光学特性を前記表示手段に表示する測定制御手段と、を備えることを特徴とするレンズメータ。
【請求項４】
被検レンズの光学特性を測定するレンズメータにおいて、
測定光軸を中心に所定のパターンで配置された多数の測定指標であって、測定光軸に近い第１領域にある第１測定指標と，第１領域の外側の第２領域にある第２測定指標を少なくとも含む測定指標を有する指標板と，被検レンズを通過した測定光束を受光する受光素子と，を持つ測定光学系と、
光学特性を演算する演算手段で、前記受光素子による第１測定指標の検出結果に基づいてレンズの第１光学特性を演算する第１演算手段と，第１測定指標及び第２測定指標の検出結果に基づいてレンズの第２光学特性を演算する第２演算手段と，を含む演算手段と、
該第１演算手段による演算結果又は前記受光素子による検出結果が所定の条件を満たすときに第２光学特性を被検レンズの光学特性として、前記所定の条件を満たさないときには第１光学特性を被検レンズの光学特性として表示手段に表示させる表示制御手段と、  を備えることを特徴とするレンズメータ。
【請求項５】
請求項４のレンズメータにおいて、前記表示制御手段は、前記第１演算手段により演算された柱面度数，又は柱面度数及び球面度数が所定の弱度数以下のときに、前記第２演算手段による演算結果を被検レンズの光学特性として表示手段に表示させることを特徴とするレンズメータ。
【請求項６】
請求項５のレンズメータにおいて、前記表示制御手段は、前記第１演算手段により演算された柱面度数，又は柱面度数及び球面度数が所定の弱度数以下のときであって、さらに第１演算手段により演算された光学特性と第２演算手段により演算された光学特性を比較し、両者が所定の許容誤差内であるとき、前記第２演算手段による演算結果を被検レンズの光学特性として表示手段に表示させることを特徴とするレンズメータ。
【請求項７】
請求項４のレンズメータにおいて、前記表示制御手段は、前記第１演算手段により演算された光学特性と第２演算手段により演算された光学特性を比較し、両者が所定の許容誤差内であるとき、前記第２演算手段による演算結果を被検レンズの光学特性として表示手段に表示させることを特徴とするレンズメータ。
【請求項８】
請求項４のレンズメータにおいて、前記表示制御手段は、前記受光素子により正常に検出された第１領域の測定指標の数が一定割合又は所定数を満たすか否かを判定し、測定指標の数が一定割合又は所定数を満たさないときは前記第２演算手段による演算結果を被検レンズの光学特性として表示手段に表示させることを特徴とするレンズメータ。
【請求項９】
請求項４のレンズメータにおいて、前記指標板には他の測定指標とは区別される形状の第3測定指標を持ち、第３測定指標は測定光軸上の第４測定指標と第４測定指標から等距離にある第５測定指標からなることを特徴とするレンズメータ。
【請求項１０】
請求項４のレンズメータにおいて、前記指標板には他の測定指標とは区別される形状の第3測定指標を持ち、第３測定指標は第１測定指標の指標と兼用されることを特徴とするレンズメータ。
【発明の詳細な説明】
【技術分野】
【０００１】
本発明は、被検レンズの光学特性を測定するレンズメータに関する。
【背景技術】
【０００２】
被検レンズに測定光束を投光し、被検レンズを透過した測定光束を受光素子により検出し、その検出結果に基づいて被検レンズの光学特性（球面度数Ｓ、柱面度数Ｃ及び柱面軸角度Ａ）を得る測定光学系を持つレンズメータが知られている。この種の従来のレンズメータは、測定光軸を中心とした４つの測定指標（原理的には３つの測定指標）を一組として受光素子により検出される測定指標の偏位に基づいて被検レンズの光学特性を測定する構成とされていた（例えば、特許文献１、２参照）。また、被検レンズの光学特性の分布や累進レンズの遠用部、近用部を容易に測定するために、ノーズピース内に配置された多数の測定指標を使用するレンズメータも提案されている（例えば、特許文献３参照）。何れのレンズメータにおいても、単焦点レンズの測定においては、測定指標が測定光軸から離れるほど収差の影響が大きくなるため、基本的には測定光軸を中心に直径２〜３ｍｍの円周上に配置された測定指標を使用して測定が行われていた。
【特許文献１】特開昭６０−１７３３５号公報
【特許文献２】特開昭５０−１４５２４９号公報
【特許文献３】特開２００３−７５２９６号公報
【発明の開示】
【発明が解決しようとする課題】
【０００３】
しかし、測定光軸付近の測定指標を基にした測定では、レンズ度数やレンズ面の状態によって光学特性の測定が不安定となり、測定精度の信頼性が劣る場合があった。すなわち、レンズの屈折力が弱度数の場合、光軸付近の指標の偏位が少ないため、測定値が不安定になりやすい。特に、柱面度数が弱度数の場合には、それによる柱面軸角度が大きくバラツキ、測定結果が不安定になり、その測定精度が悪くなる。また、測定光軸付近の指標を使用した測定では、その測定領域にキズや汚れがある場合も測定値が安定せず、測定精度の信頼性が劣る。
【０００４】
本発明は、上記従来技術の問題点に鑑み、レンズの光学特性を安定して精度良く得ることができるレンズメータを提供することを技術課題とする。
【課題を解決するための手段】
【０００５】
上記課題を解決するために、本発明は以下のような構成を備えることを特徴とする。
【０００６】
（１）  測定光軸を中心に所定のパターンで配置された多数の測定指標を持ち、該測定指標及び被検レンズを通過した光束を受光素子で受光する測定光学系を備え、前記受光素子で検出された測定指標に基づいて被検レンズの光学特性を演算し、演算された光学特性を表示手段に表示するレンズメータにおいて、
前記受光素子により検出された測定指標の内で測定光軸付近の測定領域に位置する少なくとも３つの測定指標に基づいて光学特性を演算する第１演算手段と、
前記第１演算手段の演算に使用した測定指標に対して測定領域及び測定指標の数の少なくとも一方を拡大した測定指標に基づいてレンズの光学特性を演算する第２演算手段と、
前記第１演算手段により演算された柱面度数が所定の弱度数以下のときは前記第２演算手段により演算された光学特性を測定結果として前記表示手段に表示し、柱面度数が所定の弱度数を上回るときは前記第１演算手段により演算された光学特性を前記表示手段に表示する測定制御手段と、を備えることを特徴とする。
（２）  （１）のレンズメータにおいて、前記測定制御手段は、さらに前記第１演算手段により演算された光学特性と第２演算手段により演算された光学特性を比較し、該比較結果が所定の許容誤差内であるときに、前記第２演算手段による演算結果を測定結果として前記表示手段に表示させることを特徴とする。
（３）  測定光軸を中心に所定のパターンで配置された多数の測定指標を持ち、該測定指標及び被検レンズを通過した光束を受光素子で受光する測定光学系を備え、前記受光素子で検出された測定指標に基づいて被検レンズの光学特性を演算し、演算された光学特性を表示手段に表示するレンズメータにおいて、
前記受光素子により検出された測定指標の内で測定光軸付近の測定領域に位置する少なくとも３つの測定指標に基づいて光学特性を演算する第１演算手段と、
前記第１演算手段の演算に使用した測定指標に対して測定領域及び測定指標の数の少なくとも一方を拡大した測定指標に基づいてレンズの光学特性を演算する第２演算手段と、
前記受光素子により正常に検出された測定指標の数が一定割合又は所定数を満たすか否かを判定し、測定指標の数が一定割合又は所定数を満たさないときは前記第２演算手段により演算された光学特性を測定結果として前記表示手段に表示し、測定指標の数が一定割合又は所定数を満たすときは前記第１演算手段により演算された光学特性を前記表示手段に表示する測定制御手段と、を備えることを特徴とする。
（４）  被検レンズの光学特性を測定するレンズメータにおいて、
測定光軸を中心に所定のパターンで配置された多数の測定指標であって、測定光軸に近い第１領域にある第１測定指標と，第１領域の外側の第２領域にある第２測定指標を少なくとも含む測定指標を有する指標板と，被検レンズを通過した測定光束を受光する受光素子と，を持つ測定光学系と、
光学特性を演算する演算手段で、前記受光素子による第１測定指標の検出結果に基づいてレンズの第１光学特性を演算する第１演算手段と，第１測定指標及び第２測定指標の検出結果に基づいてレンズの第２光学特性を演算する第２演算手段と，を含む演算手段と、
該第１演算手段による演算結果又は前記受光素子による検出結果が所定の条件を満たすときに第２光学特性を被検レンズの光学特性として、前記所定の条件を満たさないときには第１光学特性を被検レンズの光学特性として表示手段に表示させる表示制御手段と、  を備えることを特徴とする。
（５）  （４）のレンズメータにおいて、前記表示制御手段は、前記第１演算手段により演算された柱面度数，又は柱面度数及び球面度数が所定の弱度数以下のときに、前記第２演算手段による演算結果を被検レンズの光学特性として表示手段に表示させることを特徴とする。
（６）  （５）のレンズメータにおいて、前記表示制御手段は、前記第１演算手段により演算された柱面度数，又は柱面度数及び球面度数が所定の弱度数以下のときであって、さらに第１演算手段により演算された光学特性と第２演算手段により演算された光学特性を比較し、両者が所定の許容誤差内であるとき、前記第２演算手段による演算結果を被検レンズの光学特性として表示手段に表示させることを特徴とする。
（７）  （４）のレンズメータにおいて、前記表示制御手段は、前記第１演算手段により演算された光学特性と第２演算手段により演算された光学特性を比較し、両者が所定の許容誤差内であるとき、前記第２演算手段による演算結果を被検レンズの光学特性として表示手段に表示させることを特徴とする。
（８）  （４）のレンズメータにおいて、前記表示制御手段は、前記受光素子により正常に検出された第１領域の測定指標の数が一定割合又は所定数を満たすか否かを判定し、測定指標の数が一定割合又は所定数を満たさないときは前記第２演算手段による演算結果を被検レンズの光学特性として表示手段に表示させることを特徴とする。
（９）  （４）のレンズメータにおいて、前記指標板には他の測定指標とは区別される形状の第3測定指標を持ち、第３測定指標は測定光軸上の第４測定指標と第４測定指標から等距離にある第５測定指標からなることを特徴とする。
（１０）  （４）のレンズメータにおいて、前記指標板には他の測定指標とは区別される形状の第3測定指標を持ち、第３測定指標は第１測定指標の指標と兼用されることを特徴とする。
【発明の効果】
【０００７】
本発明によれば、レンズの光学特性を安定して精度良く得ることができる。
【発明を実施するための最良の形態】
【０００８】
本発明の実施の形態を図面に基いて説明する。図１は実施形態のレンズメータの外観を示した図である。
【０００９】
１はレンズメータ本体である。２はＬＣＤ等で構成されたディスプレイであり、測定結果やアライメントのターゲット等の測定に必要な情報が表示される。３は入力用のスイッチであり、ディスプレイ２に表示されるスイッチ表示に対応したものを押すことにより、測定モードの切換え等の必要な入力指示を行う。４は被検レンズＬＥを置き、測定時の基点となるノーズピースである。５はレンズ押えであり、これを下に降ろすことでノーズピース４に載せられた被検レンズＬＥを安定して保持することができる。
【００１０】
６は前後方向に移動可能なレンズ当てであり、眼鏡フレーム入りレンズの測定においてフレームの下部（眼鏡装用状態における下部）に当接させて安定させることによりＡｘｉｓ（柱面軸角度）測定の基準を作る。７はレンズＬＥに印点を施す場合に使用する印点機構である。８は被検レンズＬＥの光学特性データを読み取るためのＲＥＡＤスイッチである。ＲＥＡＤスイッチ８を押すことにより、測定値がディスプレイ２にホールド表示されると共に装置内部に記憶される。
【００１１】
図２は光学系と制御系を示す図である。２０は測定光学系であり、Ｌ１はその測定光軸である。測定光学系２０は、光軸Ｌ１上に配置されたＬＥＤ等の測定光源２１、コリメーティングレンズ２２、測定指標が形成されたグリッド板２３、受光素子としての２次元のイメージセンサ２４を備える。光軸Ｌ１はノーズピース４が持つ開口４ａの中心を通り、かつ開口４ａの開口平面に対して垂直に配置されている。グリッド板２３はノーズピース開口４ａの近傍に配置されている。イメージセンサ２４とノーズピース４の上端（レンズＬＥの後頂点）の間隔は、レンズＬＥの測定範囲の内の最小焦点距離よりも小さく設計されている。
【００１２】
なお、グリッド板２３の配置は、ノーズピース４に載置される被検レンズＬＥより光源２１側にしても良い。また、グリッド板２３と同様な測定光束を得るように、光源２１を二次元配置して測定指標を構成しても良い。
【００１３】
グリッド板２３が持つ測定指標の指標パターンを図３に示す。この例では、幾何学的に配置された多数の測定指標としての円形の孔２５（ドット指標）が、０．５ｍｍの間隔で格子状に配置されている。孔２５は９×９の配列であるが、ノーズピース４の開口を測定光が通過する範囲でもっと多くの孔２５を配置しても良い。また、この例では、孔２５の中心間の距離が０．５ｍｍの等間隔としているが、所定の幾何学的な配列であればこれに限られない。孔２５の内、光軸Ｌ１上にある孔（第４測定指標）Ｈ５と、この孔Ｈ５を中心とする１辺の長さが２ｍｍの正方形のコーナーに位置する孔（第５測定指標）Ｈ１、Ｈ２、Ｈ３、Ｈ４は、直径０．５ｍｍに形成されている。孔Ｈ１〜Ｈ５以外の孔２５は直径０．２ｍｍで形成されている。中心孔Ｈ５及び孔Ｈ５と一定の関係で配置された孔Ｈ１〜Ｈ４は、サイズが異なる他の孔２５に対して区別されて検出される。中心孔Ｈ５は、イメージセンサ２４で受光される各孔２５の偏位の基準位置検出に使用される。また、レンズＬＥ上の傷や汚れにより中心孔Ｈ５が正常に検出されない場合は、孔Ｈ１〜Ｈ４が代用される。また、孔Ｈ１〜Ｈ４の組は、コンタクトレンズ用の小口径のノーズピース使用時にも測定可能な領域とされる。
【００１４】
光源２１からの光束はコリメーティングレンズ２２により平行光束とされ、レンズＬＥに投光される。その透過光束のうち、グリッド板２３の孔２５を通過した光束がイメージセンサ２４上に届く。イメージセンサ２４からの出力信号は制御部４０に入力される。制御部４０には、演算結果を記憶するためのメモリ４１、演算結果等の情報をディスプレイ２に表示するための表示回路４２が接続されている。
【００１５】
さらに制御部４０は、レンズＬＥが無い場合のグリッド板２３を通してイメージセンサ２４に届いた孔２５の像（測定指標）の位置を基準に、屈折力を持つレンズＬＥを置いたときに得られる測定指標の位置偏位から、レンズＬＥの光学特性（球面度数Ｓ、柱面度数Ｃ、柱面軸角度Ａ、プリズム度数）を演算する。基本的には、球面度数のみを持つレンズＬＥが置かれた場合、レンズＬＥが無い場合に対して、各孔像はレンズＬＥの光学中心から円形状に拡大又は縮小する。この拡大又は縮小の偏位に基づいて球面度数Ｓが求められる。柱面度数Ｃのみを持つレンズＬＥが置かれた場合、各孔像はレンズＬＥの柱面軸中心から拡大又は縮小して偏位する。この拡大又は縮小の偏位により柱面度数Ｃが求められる。柱面軸角度Ａは、偏位の中心軸として求められる。また、プリズム度数は孔Ｈ５又はその付近の孔の平行移動量によって求められる。球面度数、柱面度数を持つレンズＬＥはこれらの複合として考えれば良い（特開昭６０−１７３３５号公報、特開昭５０−１４５２４９号公報等に記載された求め方と同様な方法を使用できる）。
【００１６】
多数の測定指標を使用する場合は、測定光軸Ｌ１を中心とした直径２〜３ｍｍにある５×５（２５個）、７×７（４９個）等の指標を使用し、同一円周上にあり、好ましくは隣接する４つ又は３つの指標を１組として得られる全ての組の光学特性を平均化する演算により、単焦点レンズの光学特性を精度良く得られる。また、５×５（２５個）、７×７（４９個）等の指標について、各視標の偏位の検出結果を基に光線追跡法を利用し、最小二乗法を適用して最もフィッティングするＳ，Ｃ，Ａの回帰平面を求めることより、光学特性を演算する方法でも良い。従来の４つ又は３つの指標による１組のみの光学特性の演算に対して、それよりも多い多数の指標を使用することにより、単焦点レンズの光学特性を精度良く求めることができる。
【００１７】
なお、累進レンズを測定する場合、隣接する４つ（少なくとも３つ）の指標(孔２５)を１組として光学特性を演算することにより、累進レンズの微小部分における光学特性の分布が得られる。すなわち、ノーズピース４の開口内における光学特性の分布が得られる。これにより、累進レンズの測定においては、現在の測定位置が遠用部にあるか否かを効率よく判定でき、同様に現在の測定位置が近用部にあるか否かが効率よく判定できる。
【００１８】
ここで、単焦点レンズの光学特性を測定する場合、測定指標である孔２５が測定光軸Ｌ１から離れるほど収差の影響が大きくなるため、基本的には測定光軸Ｌ１が位置する中心孔Ｈ５付近の小領域（直径２〜３ｍｍの領域内）に配置された少なくとも３つの測定指標を使用してレンズＬＥの光学特性を演算する（第１演算）。例えば、Ｈ５を中心とした５×５の２５個、又は７×７の４９個の指標の検出結果に基づいて光学特性を演算する。しかし、測定光軸Ｌ１付近の指標を使用した測定では、レンズＬＥの屈折力が弱い場合には指標の偏位が少ないため、各測定値が不安定になりやすく、測定精度の信頼性が劣る。特に柱面度数Ｃが弱度数の場合には、柱面軸角度の演算結果が不安定になり、測定精度の信頼性も悪くなる。
【００１９】
そこで、本装置では、柱面度数Ｃが所定の弱度数以下のときは、測定光軸Ｌ１付近の小領域（直径２〜３ｍｍの領域内）に対して測定領域及び測定指標の数を拡大（増加）して光学特性を演算する（第２演算）。柱面度数Ｃが弱度数のときは、測定光軸Ｌ１からの測定領域の範囲が広がっても、それによる収差の影響は少ないため、測定指標の数が増えることによる柱面軸角度の測定精度の向上と、安定性が図られる。以下、その動作例を図４のフローチャートに基づいて説明する。
【００２０】
装置の測定モードには、単焦点レンズを測定するモードと累進レンズを測定するモードがあり、ここでは単焦点レンズの測定モードを選択する。検者はディスプレイ２に表示されるレンズの左右選択を指定するスイッチを押して、測定するレンズの左右を選択する。
【００２１】
レンズＬＥがノーズピース４上に載せられると、制御部４０は、イメージセンサ２４により検出される多数の指標像（孔２５の像）のうち、光軸Ｌ１を中心に配置された７×７（４９個）の指標像の偏位に基づいて各測定値（Ｓ，Ｃ，Ａ、プリズム度数）を演算する（Ｓ−１）。図５（ａ）はこのときのディスプレイ２に表示されるアライメントの画面例である。５０はアライメント用のレチクル、５１及び５２は左右それぞれの測定値を表示する測定値表示部であり、マーク５３の表示により現在、右レンズが測定されていることを示す。このとき得られた、各測定値は右測定値表示部５１に表示される。また、レンズＬＥの光軸Ｌ１に対する光学中心の偏位方向とそのズレ量であるプリズム度数に基づいてリングターゲット５４がディスプレイ２に表示される。また、孔H１〜H５の検出結果に基づいてリングターゲット５４の表示位置を求め、アライメントを行うようにしても良い。
【００２２】
レンズＬＥが移動され、プリズム度数（Δ）が０．５Δ未満に入ると、リングターゲット５４が十字ターゲット５５に切換えられる（図５（ｂ）参照）。度数を測定するのみであれば、この状態でＲＥＡＤスイッチ８を押すことにより、測定値がホールドされる。レンズＬＥに印点を施す場合には、さらに正確なアライメントをするために、レチクル５０の中心に十字ターゲット５５が向かうようにレンズＬＥを移動し、プリズム度数が０．１Δ未満になると、十字ターゲット５５は大十字ターゲット５７へと切換えられる。これにより、検者は精密なアライメントが完了したことを知ることができる。
【００２３】
このような単焦点レンズの測定において、制御部４０による光学特性の演算は一定の時間間隔で連続的に行われている。このとき、制御部４０は、光軸Ｌ１を中心に配置された７×７（４９個）の指標像の偏位に基づいて得られた光学特性の内、柱面度数が所定の弱度数δｃＤ（及び球面度数がεｓD、Ｄ：ディオプタ）以下か否かを判定する（Ｓ−２）。例えば、δｃＤは、柱面度数をマイナス読みとし、−０．５Ｄ以下の弱度数とする。
【００２４】
柱面度数がδｃＤ（及び球面度数がεｓD）以下の場合、測定領域及び指標の数を拡大しても、それによる収差の響は少ないので、測定値の安定性と柱面軸角度の精度向上を図るため、通常の７×７（４９個）の測定領域及び指標の数を拡大して光学特性を演算する。制御部４０は、７×７個の孔２５による光学特性の演算とは別に、それよりも測定領域を拡大することにより測定指標の数を増加させ、中心孔Ｈ５を中心とした９×９個（８１個）の指標像による光学特性を演算する（Ｓ−３）。
【００２５】
ここで、好ましくは、さらに次のような判定条件を設ける（なお、次の判定条件のみを単一の条件とすることもできる）。制御部４０は、７×７個で演算した各測定値と、９×９個で演算した測定値とを比較する。各測定値を比較した結果、それぞれが許容誤差の範囲内に収まるか否かを判定する（Ｓ−４）。本実施形態においては、球面度数及び柱面度数の差が共に許容差±０．０６Ｄ以内であれば、測定領域及び測定指標の数を拡大したことによる収差の影響が少なく、９×９個の指標像から演算する方が信頼性の高い測定値が得られるとして、制御部４０は９×９個の指標像に基づく測定結果をディスプレイ２に表示する（Ｓ−５）。そして、ＲＥＡＤスイッチ８が押されれば、制御部４０は測定値をホールドし、メモリ４１に記憶する（Ｓ−６）。
【００２６】
一方、ステップＳ−４にて、７×７個と９×９個とによる測定値を比較した結果、球面度数又は柱面度数の差が許容誤差の範囲を外れていた場合、測定値の安定性の向上が見込めないとして、制御部４０は７×７個の指標像による演算結果を測定値とする（Ｓ−７）。
【００２７】
先のステップＳ−２において、柱面度数が所定の弱度数δｃＤより強度の場合、光軸Ｌ１を中心に配置された９×９個の指標像を含めると収差の影響が強くなり、７×７個の指標像による測定結果でも精度の信頼性が確保できるので、そのまま７×７個の指標像による演算結果を測定結果として表示する（Ｓ−７）。
【００２８】
なお、上記のステップＳ−４の判定においては、７×７個の演算と９×９個の演算を行う処理をそれぞれ複数回（例えば、３回）実施した結果を基に切換えるようにしても良い。そして、１回ごとの両者の差が許容差±０．０６Ｄ以内で、連続して３回測定された各測定値のばらつきも±０．０６Ｄであれば、測定値の安定化と柱面軸角度の精度が見込めるとして、以降９×９個で演算された測定結果に切換える。そして、上記の条件を外れた場合は、そのまま７×７個の演算結果を測定結果とする処理を継続する。これは、レンズが大きく移動した時（プリズム度数の変化から分かる）、又は新しいレンズがノーズピース４に載せられるまで継続するが、レンズの移動がない場合も数秒毎に再確認して判定するようにしても良い。
【００２９】
また、本発明の実施形態は上記に限るものではない。ステップＳ−２の判定に用いる柱面度数や、ステップＳ−４の判定に用いる基準は、適宜変更してもよい。また、測定対象とする指標像の個数は、光軸Ｌ１を中心に７×７個と９×９個の間で切換える方式を説明したが、これらの個数に限定されるものではない。例えば、測定光軸Ｌ１に位置する孔Ｈ５を中心にした５×５個の指標を通常の測定対象とし、柱面度数がδｃＤ以下の場合にそれよりも領域を拡大することにより測定指標の個数を増やすように切換える。また、測定光軸Ｌ１を中心とした直径２ｍｍの同一円周上にある指標を通常の測定対象とし、柱面度数がδｃＤ以下の場合に拡大した直径の内部に位置する指標に切換えるようにしても良い。また、柱面度数に応じて５×５個、７×７個、９×９個と複数段階で切換える構成でも良い。
【００３０】
以上は、レンズＬＥの度数に応じて測定領域及び測定指標の数を拡大する演算（第２演算）を使用するものとしたが、レンズＬＥにキズや汚れがある場合にもこの第２演算を適用すると効果的である。すなわち、レンズＬＥにキズや汚れがあり、測定光軸Ｌ１付近の小領域（７×７個）の指標像の内、光量不足や指標像の形状不良により、正常に検出された指標像の数が所定数又は一定割合（４割、５割等）に満たない場合、測定結果がバラツキやすくなり、測定精度の信頼性も乏しくなる。この場合、制御部４０は９×９個の指標に基づく第２演算により得られた測定結果をディスプレイ２に表示する。この場合、正常に検出される指標像が増加することにより、測定結果の安定性の向上が図られる。また、測定精度の向上も期待できる。正常に検出された指標像の数が所定数又は一定割合を満たすときは、制御部４０はそのまま７×７個の指標像の演算により得られた測定結果をディスプレイ２に表示する。
【００３１】
またさらに、各測定値の演算の際に、各測定値の標準偏差を求めることにより、値の揃った指標だけを選択することも可能である。指標像の検出処理に比べ、光学特性の演算は僅かな時間で処理できるため、１回の測定指標の検出後に、採用／不採用の指標を選択していき、標準偏差が必要とするレベルに改善されるまでこれを繰り返す。これにより、測定時間の延長を伴わずに、安定した測定結果が得られる。
【００３２】
なお、上記の７×７個の指標による測定結果から９×９個の指標による測定結果への切換えについては、レンズメーカ等での使用においては必ずしも適さない場合もあるので、この切換え機能を適用するか、今まで通りに７×７個の指標による測定結果のままとするかを、ディスプレイ２に設けられた選択スイッチで選択可能にしておくことが好ましい。
【００３３】
上記の実施形態の第２演算は、測定領域及び測定指標の数を共に拡大（増加）させて光学特性を演算するものとしたが、いずれか一方でも良い。例えば、通常の第１演算では測定光軸Ｌ１付近の小領域にある７×７個の４９個を対象とし、第２演算では９×９個の測定領域に拡大するが、演算処理時間を長くしないために、拡大した９×９個の全てを対象とするのではく、１個間隔を置く等で第１演算と同じ４９個の測定指標を対象として演算する。また、測定指標の数のみを拡大する例として、通常の第１演算では演算処理時間を短くするために７×７個の測定領域の内、１個間隔を置いた２５個の測定指標を対象として演算する。一方、第２演算では、７×７個の測定領域にある全ての測定指標を対象として演算する。第２演算は、先の実施形態のように測定領域及び測定指標の数の拡大を共に行うことが好ましいが、一方のみでも従来の第１演算に対して安定した結果が得られる。
【図面の簡単な説明】
【００３４】
【図１】実施形態のレンズメータの外観を説明する図である。
【図２】実施形態の光学系と制御系を説明する図である。
【図３】測定指標の指標パターンを説明する図である。
【図４】実施形態の動作例を説明する図である。
【図５】アライメントの表示画面を説明する図である。
【符号の説明】
【００３５】
２  ディスプレイ
４  ノーズピース
２１  測定光源
２３  グリッド板
２４  イメージセンサ
４０  制御部
４１  メモリ
【図１】
2008241694.tif 000003
【図２】
2008241694.tif 000004
【図３】
2008241694.tif 000005
【図４】
2008241694.tif 000006
【図５】
2008241694.tif 000007